(57)【要約】【課題】本発明は点灯装置に係り、ＬＥＤ点灯装置としての使用に好適な点灯装置に関し、ユーザーが調光率の変化速度を変更できる点灯装置を得ることを目的とする。【解決手段】照明灯を点灯させる電源回路と、演算プログラムに基づいてフェード時における調光率の変化速度を制御する制御装置と、を備え、前記制御装置は、前記演算プログラムを記憶する記憶部と、前記演算プログラムを実行する処理装置と、を備え、前記照明灯が目標の前記調光率に至るまでの前記変化速度を通知する通知信号が入力されると、前記通知信号に応じて前記変化速度が実現されるように前記演算プログラムを変更する。【選択図】図３
2017098094.tif 000002
【特許請求の範囲】
【請求項１】
照明灯を点灯させる電源回路と、
演算プログラムに基づいてフェード時における調光率の変化速度を制御する制御装置と、
を備え、
前記制御装置は、
前記演算プログラムを記憶する記憶部と、
前記演算プログラムを実行する処理装置と、
を備え、
前記照明灯が目標の前記調光率に至るまでの前記変化速度を通知する通知信号が入力されると、前記通知信号に応じて前記変化速度が実現されるように前記演算プログラムを変更することを特徴とする点灯装置。
【請求項２】
前記照明灯はＬＥＤであることを特徴とする請求項１に記載の点灯装置。
【請求項３】
前記変化速度がフェード期間であり、
前記制御装置は、前記フェード期間が実現されるように前記演算プログラムを変更することを特徴とする請求項１または２に記載の点灯装置。
【請求項４】
前記変化速度は、前記調光率が上昇するフェードイン時における変化速度であることを特徴とする請求項１〜３の何れか１項に記載の点灯装置。
【請求項５】
前記変化速度は、前記調光率が減少するフェードアウト時における変化速度であることを特徴とする請求項１〜４の何れか１項に記載の点灯装置。
【請求項６】
前記制御装置は、
時刻を計測するためのタイマーを備え、
前記時刻に応じて前記変化速度が変更されるように前記演算プログラムを変更することを特徴とする請求項１〜５の何れか１項に記載の点灯装置。
【請求項７】
前記制御装置は、時刻を計測するためのタイマーを備え、
前記演算プログラムは、特定の時刻に前記照明灯を点滅させるプログラムを含むことを特徴とする請求項１〜６の何れか１項に記載の点灯装置。
【請求項８】
前記制御装置は、防犯システムが発信する防犯信号を受信する受信部を備え、
前記演算プログラムは、前記防犯信号に応じて前記照明灯を点滅させるプログラムを含むことを特徴とする請求項１〜７の何れか１項に記載の点灯装置。
【請求項９】
請求項１〜８の何れか１項に記載の点灯装置を備えることを特徴とする照明器具。
【請求項１０】
前記変化速度を入力するためのインターフェースを備え、前記インターフェースから前記変化速度が入力されると、当該変化速度に応じた前記通知信号を発信する入力装置を備え、
前記制御装置は、前記通知信号を受信する受信部を備えることを特徴とする請求項９に記載の照明器具。
【請求項１１】
前記入力装置はリモコンを含むことを特徴とする請求項１０に記載の照明器具。
【請求項１２】
前記入力装置は壁スイッチを含むことを特徴とする請求項１０または１１に記載の照明器具。
【請求項１３】
前記インターフェースは、複数の変化速度から１つを選択することが可能であることを特徴とする請求項１０または１１に記載の照明器具。
【請求項１４】
前記制御装置は、前記照明灯の消灯時に、前記入力装置のオン、オフの回数が予め設定した設定値になったとき、フェード期間設定モードになったことを報知するよう前記照明灯をフェードイン、フェードアウト制御した後、前記入力装置によりオン、オフして前記フェード期間が入力されたとき、前記フェード期間が設定されたことを報知するよう前記照明灯をフェードイン、フェードアウト制御することを特徴とする請求項１０〜１３の何れか１項に記載の照明器具。
【発明の詳細な説明】
【技術分野】
【０００１】
本発明は点灯装置および照明器具に係り、ＬＥＤ点灯装置としての使用に好適な点灯装置およびそれを利用した照明器具に関する。
【背景技術】
【０００２】
特許文献１には、照明灯の点灯装置が開示されている。この点灯装置では、フェード時において照明灯の調光率は、点灯装置によりあらかじめ設定された変化速度で変化する。
【先行技術文献】
【特許文献】
【０００３】
【特許文献１】特開２００６−９２９１９号公報
【発明の概要】
【発明が解決しようとする課題】
【０００４】
調光率の変化速度は、点灯装置の用途または個人の感じ方によって適した速度が異なる。しかし、特許文献１に示す点灯装置では、変化速度はあらかじめ設定されている。このため、ユーザーが点灯速度を変更することはできない。
【０００５】
本発明は、上述の問題点を解決するためになされたもので、その目的はユーザーが調光率の変化速度を変更できる点灯装置を得ることである。
第２の目的は、本発明に係る点灯装置を用いた照明器具を得ることである。
【課題を解決するための手段】
【０００６】
照明灯を点灯させる電源回路と、演算プログラムに基づいてフェード時における調光率の変化速度を制御する制御装置と、を備え、前記制御装置は、前記演算プログラムを記憶する記憶部と、前記演算プログラムを実行する処理装置と、を備え、前記照明灯が目標の前記調光率に至るまでの前記変化速度を通知する通知信号が入力されると、前記通知信号に応じて前記変化速度が実現されるように前記演算プログラムを変更することを特徴とする点灯装置。
【発明の効果】
【０００７】
本発明における点灯装置は、フェード時における調光率の変化速度を制御する制御装置を備える。変化速度の制御は、演算プログラムに基づいて行われる。演算プログラムは、制御装置が備える記憶部に記憶されている。制御装置は、変化速度を通知する通知信号が入力されると、通知された変化速度が実現されるように演算プログラムを変更する。この結果、調光率の変化速度が変更される。従って、ユーザーは、通知信号を用いて調光率の変化速度を変更することができる。
【図面の簡単な説明】
【０００８】
【図１】本発明の実施の形態１に係る照明器具の模式図である。
【図２】本発明の実施の形態１に係る照明器具の回路ブロック図である。
【図３】本発明の実施の形態１に係る点灯装置の処理フローを説明するタイムチャート（その１）である。
【図４】本発明の実施の形態２に係る点灯装置の処理フローを説明するタイムチャート（その２）である。
【図５】本発明の実施の形態３に係る点灯装置における調光率の変化のパターンを説明する図である。
【図６】本発明の実施の形態４に係る照明器具において調光率の変化速度の設定方法を説明する図である。
【発明を実施するための形態】
【０００９】
本発明の実施の形態に係る点灯装置１００、２００、３００および４００および照明器具１１について図面を参照して説明する。同じ又は対応する構成要素には同じ符号を付し、説明の繰り返しを省略する場合がある。
【００１０】
実施の形態１．
図１は、本実施の形態に係る照明器具１１の模式図である。照明器具１１は、ＬＥＤモジュール１１０と、このＬＥＤモジュール１１０を点灯、消灯、調光等制御する点灯装置１００と、リモコン１６からの無線信号を受信する受信部２０と、壁スイッチ１８と電気的に接続するための電線２２とを備える。
【００１１】
リモコン１６はタッチパネル式の液晶画面２６を備える。液晶画面２６は、フェード期間の入力を受けることが可能である。また、リモコン１６はＬＥＤモジュール１１０を全光点灯および消灯等するためのボタン２８を備える。このため、ユーザーは液晶画面２６を使わずにＬＥＤモジュール１１０の全光点灯および消灯等の動作を行うことが可能である。本実施の形態では、リモコン１６が入力装置としての機能を備える。また、液晶画面２６はインターフェースとしての機能を備える。
【００１２】
図２は、本実施の形態に係る照明器具１１の回路ブロック図である。照明器具１１は、ＬＥＤモジュール１１０と、点灯装置１００と、調光器３０および調光信号インターフェイス（Ｉ／Ｆ）回路３２を備える。点灯装置１００は、直流電源６０、バックコンバータ回路８０、および制御装置４０を備えている。電源回路５０はＬＥＤモジュール１１０を点灯させる。また、制御装置４０はフェード時における調光率の変化速度を制御する。以下に回路構成を説明する。
【００１３】
外部電源である交流電源３４は、壁スイッチ１８を介して電源回路５０が備える整流回路６１と接続される。整流回路６１の出力端子には、平滑コンデンサであるコンデンサ６２が並列に接続される。従って、交流電源３４は整流回路６１で整流された後にコンデンサ６２で平滑される。コンデンサ６２には、分圧回路６３０が並列に接続される。分圧回路６３０は直列に接続された抵抗６３および６４から構成される。コンデンサ６２の両端電圧は抵抗６３、６４によって分圧され制御装置４０に入力される。
【００１４】
整流回路６１の高電位側には、インダクタ６５の一端が接続される。インダクタ６５の他端は、スイッチング素子７０のドレイン側およびダイオード６６のアノード側に接続される。スイッチング素子７０は、ＭＯＳＦＥＴである。スイッチング素子７０のソース側は、整流回路６１の低電位側に接続される。また、スイッチング素子７０のゲートは制御装置４０と接続される。ダイオード６６のカソード側にはコンデンサ６７の正極が接続される。コンデンサ６７は電解コンデンサである。コンデンサ６７の負極は、整流回路６１の低電位側に接続される。
【００１５】
インダクタ６５、スイッチング素子７０、ダイオード６６およびコンデンサ６７は昇圧チョッパ回路を形成する。従って、整流回路６１の出力電圧は、昇圧チョッパ回路によって昇圧される。コンデンサ６７には分圧回路６８０が並列に接続される。分圧回路６８０は直列に接続された抵抗６８および６９から構成される。コンデンサ６７の両端電圧は抵抗６８、６９を用いて分圧され制御装置４０に入力される。以上から、直流電源６０が構成される。
【００１６】
直流電源６０の出力端子のうち、コンデンサ６７の正極側はスイッチング素子８１のドレイン側と接続される。スイッチング素子８１は、ＭＯＳＦＥＴである。スイッチング素子８１のソース側にはダイオード８２のカソード側が接続される。ダイオード８２のアノード側は、コンデンサ６７の負極側に接続される。スイッチング素子８１のゲートは制御装置４０と接続される。インダクタ８３、コンデンサ８４および検出抵抗８５がこの順に接続して直列回路を形成する。この直列回路はダイオード８２に並列に接続される。インダクタ８３はチョークコイルとして用いられる。コンデンサ８４には分圧回路８６０が並列に接続される。分圧回路８６０は直列に接続された抵抗８６および８７によって構成される。コンデンサ８４の両端電圧は抵抗８６、８７を用いて分圧され制御装置４０に入力される。以上から降圧回路であるバックコンバータ回路８０が構成される。
【００１７】
直流電源６０およびバックコンバータ回路８０は、電源回路５０を構成する。電源回路５０の出力端にはＬＥＤモジュール１１０が並列に接続される。ＬＥＤモジュール１１０は照明灯である複数のＬＥＤ１０を備える。電源回路５０は、交流電源３４を直流電源６０で整流および昇圧する。その後、バックコンバータ回路８０で降圧することで、ＬＥＤモジュール１１０に電力を供給している。
【００１８】
分圧回路６３０は、直流電源６０の入力側に設けられている。このため、直流電源６０の入力電圧検出に用いられる。また、分圧回路６８０は、直流電源６０の出力端に設けられている。このため、直流電源６０の出力電圧検出に用いられる。検出抵抗８５は、ＬＥＤモジュール１１０に流れるＬＥＤ電流の検出に用いられる。検出抵抗８５の両端に印加される電圧値はＬＥＤ電流値に対応する。この電圧値が制御装置４０に入力される。また、分圧回路８６０は、ＬＥＤモジュール１１０の電圧検出に用いられる。制御装置４０は分圧回路８６０の検出電圧に基づいて、ＬＥＤモジュール１１０の接続有無および電圧異常を検出する。
【００１９】
分圧回路６３０、６８０および８６０並びに検出抵抗８５からの検出電圧は制御装置４０に入力される。制御装置４０が備えるＡ／Ｄ変換回路４４は、これらの検出電圧をデジタル値に変換する。処理装置４５は、このデジタル値を用いて演算処理を実行する。演算処理には、記憶部４３に記憶された演算プログラムが用いられる。この演算処理では、スイッチング素子７０および８１のオン時間などが算出される。
【００２０】
演算結果は制御回路４１および４２に通知される。制御回路４１はスイッチング素子７０のゲートに接続される。他方の制御回路４２はスイッチング素子８１のゲートに接続される。演算結果に基づいて、制御回路４１および４２はＰＷＭ（Ｐｕｌｓｅ  Ｗｉｄｔｈ  Ｍｏｄｕｌａｔｉｏｎ）信号を出力する。ＰＷＭ信号によって、スイッチング素子７０および８１のオンオフが制御される。制御回路４１、制御回路４２、記憶部４３、Ａ／Ｄ変換回路４４、処理装置４５および受信部２０は内部バスを介して互いに接続されている。
【００２１】
記憶部４３は、処理装置４５で実行する演算プログラムおよび演算に用いられる各種データを記憶している。記憶部４３は不揮発性メモリを備える。記憶部４３は外部からのデータの書き込みおよび読み出しが実施可能に設けられている。制御装置４０は、分圧回路６８０の検出電圧と、予め記憶部４３に書き込まれた目標電圧とが一致するように、スイッチング素子７０のオン時間を調整する。この結果、直流電源６０は定電圧制御される。
【００２２】
また、照明器具１１は調光器３０を備える。調光器３０にはＬＥＤモジュールの目標の照度を決める調光指令値が入力される。制御装置４０には、調光信号Ｉ／Ｆ回路３２を介して調光器３０からの調光指令値が入力される。調光信号Ｉ／Ｆ回路３２は、調光器３０のインターフェース回路である。制御装置４０では、調光指令値に基づいて目標電流が決定される。
【００２３】
ＬＥＤモジュール１１０が全光点灯状態の時、制御装置４０は目標電流と検出抵抗８５で検出された電圧に応じたＬＥＤ電流値が一致するように、スイッチング素子８１のオン時間を調整する。記憶部４３には予めバックコンバータ回路８０の回路効率、インダクタ８３のインダクタンス値、ダイオード８２の順方向電圧値が書き込まれている。制御装置４０は、これらの値と分圧回路および検出抵抗から得られるバックコンバータ回路８０の出力電流値、出力電圧値および入力電圧値を用いてスイッチング素子８１の周波数を変調する。制御装置４０は、臨界モードでの定電流制御を行っている。
【００２４】
制御装置４０には、デジタル電源用制御装置として提供されているマイコンを使用する。また、ＤＳＰ（Ｄｉｇｉｔａｌ  Ｓｉｇｎａｌ  Ｐｒｏｃｅｓｓｏｒ）等の演算装置を使用しても良い。
【００２５】
以下に、入力装置としてリモコン１６を用いた場合に、調光率の変化速度を変更する方法を説明する。本実施の形態では、液晶画面２６から、フェード期間を入力することで、調光率の変化速度を変更する。まず、リモコン１６が備える液晶画面２６においてフェード期間設定画面を開く。次に、液晶画面２６上でフェード期間Ｔ４を入力する。
【００２６】
フェード期間Ｔ４が入力されると、リモコン１６は入力されたフェード期間Ｔ４に応じた通知信号を発信する。制御装置４０が備える受信部２０は、通知信号を受信する。その結果、フェード期間Ｔ４は処理装置４５に通知される。処理装置４５は、通知されたフェード期間Ｔ４が実現されるように、記憶部４３に記憶された演算プログラムを変更する。ここで、演算プログラムの変更は、演算プログラム上のフェード期間を、通知されたフェード期間Ｔ４に書き換えることで実施される。
【００２７】
以上の方法でフェード期間が変更されると、点灯装置１００は全光点灯指示があるまで待機する。リモコン１６または壁スイッチ１８によって全光点灯指示がなされると、処理装置４５は、演算プログラムを実行する。その結果、以下に示す処理フローが実行される。
【００２８】
図３は本実施の形態に係る点灯装置１００の処理フローを説明するタイムチャート（その１）である。以下に、調光率が上昇するフェードイン時のフローについて説明する。
【００２９】
先ず、処理装置４５は制御回路４２に制御信号を送る。制御回路４２は制御信号に基づいてスイッチング素子８１のオン時間を制御する。この制御信号は、調光率が５％の下限調光点灯に到達するまで、一定の変化速度で調光率が上昇するように提供される。次に、処理装置４５は、期間Ｔ１の間、下限調光点灯を保持するように制御回路４２に制御信号を送る。その結果、制御回路４２は制御信号に基づいてスイッチング素子８１のオン時間を制御する。従って、下限調光点灯が期間Ｔ１の間、保持される。下限調光点灯の保持は、ＬＥＤモジュール１１０への電流供給を安定化させるために行っている。
【００３０】
次に、フェードイン期間Ｔ４の間に調光率が下限調光点灯から１００％まで変化するように、処理装置４５は制御回路４２に制御信号を送る。制御回路４２は制御信号に基づいてスイッチング素子８１のオン時間を制御する。この結果、実線１０６に示すように、フェードイン期間Ｔ４の間に調光率が１００％になるように変化速度が制御され、調光率が上昇する。フェードイン期間Ｔ４の終了時に調光率は１００％の全光点灯状態となる。本実施の形態では、フェードイン期間Ｔ４において、調光率の変化速度が一定になるように、スイッチング素子８１が制御される。なお、期間Ｔ８に示す全光点灯状態では、上述した定電流制御が実施され、調光率１００％が保持される。
【００３１】
これに対し、短いフェードイン期間Ｔ２が設定された場合、点線１０２に示すように調光率の変化速度が速くなるようにスイッチング素子８１が制御される。その結果、フェードイン期間Ｔ２の終了時に調光率は１００％の全光点灯状態となる。従って、フェードイン期間Ｔ２が実現される。また、長いフェードイン期間Ｔ６が設定された場合、点線１０４に示すように調光率の変化速度が遅くなるようにスイッチング素子８１が制御される。その結果、フェードイン期間Ｔ６の終了時に調光率は１００％の全光点灯状態となる。従って、フェードイン期間Ｔ６が実現される。
【００３２】
次に、調光率が減少するフェードアウト時のフローについて説明する。ここで、リモコン１６からフェード期間Ｔ５が入力されたものとする。期間Ｔ８に示す調光率１００％の状態において、リモコン１６または壁スイッチ１８によって消灯指示がなされると、処理装置４５は演算プログラムを実行する。その結果、フェードアウト期間Ｔ５の間に、調光率が１００％から０％に変化するように、処理装置４５は制御回路４２に制御信号を送る。制御回路４２は制御信号に基づいてスイッチング素子８１のオン時間を制御する。この結果、実線１０６に示すように、フェードアウト期間Ｔ５の間に調光率が０％になるように変化速度が制御され、調光率が減少する。フェードアウト期間Ｔ５の終了時に調光率は０％の消灯状態となる。本実施の形態では、フェードアウト期間Ｔ５において、調光率の変化速度が一定になるように、スイッチング素子８１が制御される。
【００３３】
短いフェードアウト期間Ｔ３が設定された場合、点線１０２に示すように調光率の変化速度が速くなるようにスイッチング素子８１が制御される。その結果、フェードアウト期間Ｔ３の終了時に調光率は０％の消灯状態となる。従って、フェードアウト期間Ｔ３が実現される。また、長いフェードアウト期間Ｔ７が設定された場合、点線１０４に示すように調光率の変化速度が遅くなるようにスイッチング素子８１が制御される。その結果、フェードアウト期間Ｔ７の終了時に調光率は０％の消灯状態となる。従って、フェードアウト期間Ｔ７が実現される。
【００３４】
なお、壁スイッチ１８をオフにすることで消灯指示を行う場合、フェードアウト期間において交流電源３４からの電力の供給が遮断されている。このときフェードアウト期間のＬＥＤモジュール１１０の調光はコンデンサ６７に蓄積された電荷によって補われる。このため、フェードアウト期間を長く設定すると、コンデンサ６７の電荷が足りなくなる場合がある。この場合、フェードアウト制御は途中で停止し、消灯状態となる。これを防ぐために、フェードアウト期間を長く設定する場合は、リモコン１６にて消灯指示をすることが好ましい。この場合、フェードアウト期間において交流電源３４からの電力の供給が持続される。従って、長いフェードアウト期間が実現できる。
【００３５】
照明器具を来客用の部屋で使用する場合、高級感を持たせるためにフェード期間が長い方が好まれる場合がある。これに対し、従業員用の部屋で照明器具を使用する場合は、フェード期間が短く、瞬時に全光点灯または消灯したほうが作業効率の点で好ましい。従って、例えば来客用の部屋を従業員用の部屋に変更する場合、フェード期間を変更することが望まれる場合がある。ここで、フェード期間が製品出荷時に決められている場合、フェード期間を変更するには、照明器具自体を交換する必要がある。本実施の形態では、ユーザーがリモコン１６を用いてフェード期間を変更することができる。このため、部屋の用途に応じて適したフェード期間に設定することができる。
【００３６】
また、どの程度の長さのフェード期間を好むかは個人の感じ方によって決められる。本実施の形態では、照明器具１１の使用者が自分の好むフェード期間を設定することが可能である。また、寝室での使用において、本実施の形態ではフェードアウト期間を長く設定することで、就寝時にゆっくり消灯させることができる。これにより、消灯時に幼児などの使用者に安心感を与えることができる。
【００３７】
なお、フェード期間の設定時に、フェードイン期間とフェードアウト期間を同じ長さとして同時に設定するものとしても良く、別々に変更できるものとしてもよい。また、本実施の形態では、液晶画面２６からフェード期間を設定できるものとした。このとき、例えばＴ２、Ｔ４、Ｔ６などの複数のフェード期間が液晶画面２６に表示され、ユーザーはその中から１つを選択できるものとしても良い。
【００３８】
また、本実施の形態ではＬＥＤ１０を照明灯として使用しているが、有機ＥＬ、蛍光灯または白熱灯でもよい。
【００３９】
また、本実施の形態では、液晶画面２６からフェード期間を入力する。この結果、通知信号によって制御装置４０にフェード期間が通知され、フェード期間が実現されるように演算プログラムが変更される。これに対し、液晶画面２６から目標の調光率に至るまでの調光率の変化速度を入力するものとしても良い。この場合、通知信号によって制御装置４０に目標の調光率に至るまでの変化速度が通知される。この結果、通知された変化速度が実現されるように演算プログラムが変更される。
【００４０】
なお、本実施の形態において調光率が１００％である全光点灯状態とは、ＬＥＤモジュール１１０に流れるＬＥＤ電流値が、目標電流と一致している状態を示す。目標電流は調光器３０から入力される調光指令値に基づいて決定される。本実施の形態では、リモコン１６または壁スイッチ１８をオンすることによって、ＬＥＤモジュール１１０はフェード期間を経て全光点灯状態に至るものとした。これに対し、本実施の形態の変形例として、リモコン１６または壁スイッチ１８をオンすることによって、１００％以外の調光率に至る機能を備えてもよい。ユーザーは予めリモコン１６において目標の調光率を設定しておく。リモコン１６または壁スイッチ１８で点灯指示がなされると、ＬＥＤモジュール１１０はフェード期間を経て目標の調光率に至る。
【００４１】
実施の形態２．
図４は、本実施の形態に係る点灯装置２００の処理フローを説明するタイムチャート（その２）である。本実施の形態において点灯装置２００は、実施の形態１で説明した実線１０８で示すフェード機能に加えて、点線１１１に示すＬＥＤ１０の点滅機能を備える。
【００４２】
以下にＬＥＤ１０を点滅させる制御について説明する。制御装置４０は時刻を計測するためのタイマーを備える。また、演算プログラムは、特定の時刻にＬＥＤ１０を点滅させるプログラムを含む。ユーザーは予めリモコン１６を用いてＬＥＤ１０を点滅させる時刻を設定しておく。ユーザーが設定した時刻になると、処理装置４５はＬＥＤ１０を点滅させるプログラムを実行する。この結果、下限調光点灯レベルと全光点灯状態との間の点滅が４回実施される。ＬＥＤ１０はその後、全光点灯状態になる。
【００４３】
本実施の形態は、起床時の目覚まし機能として使用できる。タイマー機能を用いて、起床時に長めのフェード期間を設定する。フェード期間の前半ではＬＥＤ１０を点滅させるプログラムが実行される。フェード期間の後半ではフェードインが実行される。これにより、ユーザーが設定した時刻にＬＥＤ１０が点滅し、その後フェードインが実施される。従って、起床時に視覚による刺激を得ることが出来る。このため、一定に調光率を上昇させるよりも効率よく起床できる。
【００４４】
なお、本実施の形態では、フェード期間の前半にＬＥＤ１０の点滅が実施され、後半にフェードインが実施されるものとした。これに対し、点滅のみが実施される機能を備えてもよい。また、点滅は４回に限るものではなく、ユーザーが点滅回数を選べるものとしても良い。更には、ＬＥＤ１０の点滅は、フェード期間の前半のみでなく、フェード期間の中央部分または後半部分に持って来るようにしてもよい。
【００４５】
本実施の形態の変形例として、点滅機能を防犯システムと組み合わせて使用しても良い。この場合、受信部２０は、防犯システムが発信する防犯信号を受信するように設けられているものとする。また、演算プログラムは、防犯信号に応じてＬＥＤ１０を点滅させるプログラムを含む。防犯システムは、異常を検知すると防犯信号を発信する。この防犯信号を受信部２０が受信することで、処理装置４５においてＬＥＤ１０を点滅させるプログラムが実行される。これにより、ＬＥＤ１０が点滅する。防犯時にＬＥＤを点滅させながらフェードインにより全光点灯状態に持っていくことにより、異常状態を目視で確認できる。このため、防犯効果を向上できる。
【００４６】
実施の形態３．
図５は、本実施の形態に係る点灯装置３００における調光率の変化のパターンを説明する図である。本実施の形態では、点灯装置３００は、タイマーが通知する時刻に応じて、調光率の変化速度を変更する機能を備える。
【００４７】
以下に、時刻に応じて調光率の変化速度を変更する制御について説明する。本実施の形態では、制御装置４０はタイマーを備える。また、記憶部４３には、起床用、就寝用、通常時用などの複数の演算プログラムが記憶されている。タイマーが通知する時刻に応じて、処理装置４５は実行する演算プログラムを変更する。この結果、以下のような利用が可能になる。
【００４８】
ユーザーは予め、リモコン１６で起床時刻、就寝時刻を設定しておく。起床時刻において、起床用の演算プログラムが実行される。この結果、図５のパターン１に示すように、制御装置４０は、効率よく起床するために点滅期間を含む長いフェードイン制御を実施する。次に、タイマーが通知する就寝時刻において、就寝用の演算プログラムが実行される。この結果、図５のパターン２に示すように、制御装置４０は更に起床時よりも長いフェードアウト制御を行う。次に、通常時には通常時用の演算プログラムが実行される。この結果、図５のパターン３に示すように、通常時には起床時より短いフェード期間で全光点灯状態となり、すぐに部屋を使用することが可能になる。このように、本実施の形態では、時刻に応じて適したフェード制御を実行することが可能になる。
【００４９】
なお、図３および図４ではフェード時における調光率の変化速度が一定の場合を示した。これに対し、図５に示すように、変化速度は一定でなくても良い。
【００５０】
実施の形態４．
図６は、本実施の形態に係る照明器具１１において調光率の変化速度の設定方法を説明する図である。本実施の形態では、入力装置として壁スイッチ１８を用いる。また、壁スイッチ１８はインターフェースとしての機能を備える。以下、壁スイッチ１８を用いて調光率の変化速度を変更する方法を説明する。図６において、実線１１２は壁スイッチ１８のオンオフ状態を示す。また、実線１１４はバックコンバータ回路８０の出力電流値を示す。
【００５１】
まず、ＬＥＤ１０の消灯時に、壁スイッチ１８を２回オンオフする（Ｔ２０）。処理装置４５は演算プログラムによってオンオフ回数が予め設定しておいた設定値に達したと判断して、フェード期間設定モードに遷移する。次に、処理装置４５は、演算プログラムに基づいて小さいフェードインおよびフェードアウトを実施する。この結果、ＬＥＤ１０が短時間点灯する（Ｔ２１）。この短時間の点灯はコンデンサ６７に蓄積された電荷によって実施される。これにより、フェード期間設定モードに遷移したことをユーザーに報知する。なお、短時間の点灯は壁スイッチ１８がオフの状態で実施されるため、ユーザーは点灯装置４００が正常にフェード期間設定モードに遷移したことを目視で確認できる。
【００５２】
ユーザーへの報知期間Ｔ２１の後、処理装置４５は壁スイッチ１８がオンになるまで待機する。次にユーザーが壁スイッチ１８をオンにする。その後、フェード期間として設定したい期間Ｔ３０が経過するまでオン状態を保持する。期間Ｔ３０の経過後に、ユーザーは壁スイッチ１８をオフする（Ｔ２２）。処理装置４５は、壁スイッチ１８がオンされてからオフされるまでの期間Ｔ３０をカウントする。次に処理装置４５は、カウントした期間Ｔ３０を、演算プログラム上のフェード期間として演算プログラムを変更する。従って、期間Ｔ３０がフェード期間として設定される。本実施の形態では、実線１１２に示す期間Ｔ２０〜Ｔ２２における壁スイッチ１８のオンオフに伴う信号が通知信号となる。この通知信号は、例えば壁スイッチ１８と整流回路６１間に配置した図示しないスイッチＯＮ／ＯＦＦ検出回路である電源同期回路を介して制御装置４０に入力される。
【００５３】
次に、処理装置４５は、演算プログラムに基づいて小さいフェードインおよびフェードアウトを実施する。この結果、ＬＥＤ１０が短時間点灯する（Ｔ２３）。この短時間の点灯はコンデンサ６７に蓄積された電荷によって実施される。これにより、フェード期間が正常に変更されたことをユーザーに報知する。
【００５４】
処理装置４５は、次回の全光点灯指示時からユーザーが設定したフェード期間Ｔ３０でＬＥＤ１０を点灯制御する。フェード期間における点灯装置４００の制御方法は、実施の形態１と同様である。以上から、リモコン１６を使用できない場合においても、壁スイッチ１８を用いてフェード期間の設定が可能になる。
【００５５】
なお、上記の方法は一例であり、これに限るものではない。例えば、Ｔ２０における壁スイッチ１８のオンオフは複数回であれば何回でも良い。また、本実施の形態では壁スイッチ１８のオンオフでフェード期間を変更した。これに対し、照明器具１１に紐等のスイッチを設け、スイッチをオンオフすることでフェード期間を変更できるようにしても良い。また、リモコン１６が備えるボタン２８をオンオフすることにより、フェード期間を変更できるようにしても良い。
【符号の説明】
【００５６】
１００、２００、３００、４００  点灯装置、１０  ＬＥＤ、１１  照明器具、１６  リモコン、１８  壁スイッチ、２０  受信部、４０  制御装置、４３  記憶部、４５  処理装置、５０  電源回路
【図１】
2017098094.tif 000003
【図２】
2017098094.tif 000004
【図３】
2017098094.tif 000005
【図４】
2017098094.tif 000006
【図５】
2017098094.tif 000007
【図６】
2017098094.tif 000008